(57)【要約】【課題】  読取制御と、記録制御が同時に動作可能な記録装置において、給紙動作に相当のメカ振動が伴う記録装置であっても、読取画質には影響を及ぼさない記録装置を提供すること。【解決手段】  読取動作中に記録装置が振動することが予測できる場合、記録要求を受信して、記録紙を給紙する前の準備作業中に、読取動作の中断を行う。さらに、記録紙を給紙した後、読取センサを加速させ、読取動作の再開を行う。【選択図】  図１
2009117964.tif 000002
【特許請求の範囲】
【請求項１】
原稿の画像を読み取り、デジタル画像データに変換する読取手段と、
前記記録紙を給紙する給紙手段と、
記録可能なデータを、前記給紙手段で給紙した記録紙に記録する記録手段と、
ホストコンピュータと所定のインターフェースを介して接続され、前記ホストコンピュータの要求を受信可能なコマンド受信手段を持つ記録装置において、
上記読取手段で原稿を読み取っている間に、前記コマンド受信手段で、記録開始要求を受信した時、読み取り手段を一時的に中断させる一時中断させる読取中断制御と、
上記給紙処理終了後、原稿画像の読取を上記読取手段に再開させる読取再開制御と、
を有することを特徴とする記録装置。
【請求項２】
請求項１に記載の記録装置において、
上記読取手段は、ＣＩＳまたはＣＣＤを読取素子として利用するスキャナであることを特徴とする記録装置。
【請求項３】
請求項１に記載の記録装置において、
上記記録装置の記録方式は、インクジェット方式であることを特徴とする記録装置。
【請求項４】
請求項１に記載の記録装置において、
上記所定のインタフェースは、ＵＳＢであることを特徴とする記録装置。
【発明の詳細な説明】
【技術分野】
【０００１】
本発明は、ホストコンピュータと接続され、ホストコンピュータの要求に従って、画像の読取と、記録動作とを実行することができる画像読取装置が一体となった記録装置に関する。
【背景技術】
【０００２】
最近の記録装置では、ホストコンピュータから受信した記録データを記録するだけでなく、備え付けられているスキャナで原稿を読み取り、この読み取った原稿の記録を行う等、複数の機能を有する記録装置が存在している。
【０００３】
このような複数の機能を持つ記録装置は、ホストコンピュータから受信した記録データを記録することだけが可能な、いわゆる単機能記録装置よりも、備える装置が多く、相対的に、装置自体の容積が大きい。
【０００４】
なお、以下では、複数の機能を持つ記録装置を、「マルチファンクションプリンタ」、または「ＭＦＰ」と呼ぶ。また、ホストコンピュータから受信した記録データを記録することだけが可能ないわゆる単機能記録装置を、「シングルファンクションプリンタ」、または、「ＳＦＰ」という。
【０００５】
ＭＦＰの容積を小さくするために、記録に関するメカ機構（例えば、記録紙の給紙機構など）と、読取に関するメカ機構（例えば、読取センサ駆動機構など）は、年々設置距離が短くなってきている。こういったＭＦＰでは、記録動作中のメカ振動が大きくなると、読取側メカ機構に伝導するようになってきている。特に、記録紙の給紙動作は相当のメカ振動を発生させる。
【０００６】
読取中の振動は、読み取った画像の画質に影響するため、読取中にメカ振動を防止する装置が知られている（たとえば、特許文献１参照）。
【特許文献１】特開２００５−７９６１３号公報
【発明の開示】
【発明が解決しようとする課題】
【０００７】
特許文献１は、コピーという読取、記録、後処理の繰り返しで構成される一連の処理に対して有効である。しかし、読取動作と記録動作が独立して動作可能な場合、読取動作中に任意のタイミングで記録開始を行うことが可能なため、事前に予測ができない。
【０００８】
また、読取動作中は、副走査方向へ読取センサを移動する必要がある。したがって、読取動作を中断した後、再開するためには、読取センサを一定速度以上に加速する加速距離が必要になる。よって、読取動作の中断処理は、中断された位置から次の再開のための加速距離だけ戻る必要があり、再開に必要な速度によっては中断処理にかなりの時間がかかる。
【課題を解決するための手段】
【０００９】
本発明は、読取制御と、記録制御が同時に動作可能な記録装置において、読取動作中に記録装置が振動することが予測できる場合、記録要求を受信して、記録紙を給紙する前の準備作業中に、読取動作の中断を行う。さらに、記録紙を給紙した後、読取センサを加速させ、読取動作の再開を行う。以上の制御により、給紙動作に相当のメカ振動が伴う記録装置であっても、読取画質には影響を及ぼさない記録装置を提供することを目的とするものである。
【発明の効果】
【００１０】
本発明によれば、読取制御と、記録制御が同時に動作可能な記録装置において、読取動作中に記録装置が振動することが予測できる場合、記録紙を給紙する前の準備作業中に、読取動作の中断手段を有する。よって、読取中に記録動作のメカ振動が伝わることがなく、読取画質の劣化を防止することができるという効果を奏する。
【発明を実施するための最良の形態】
【００１１】
次に、本発明の詳細を実施例の記述に従って説明する。
【実施例１】
【００１２】
図１は、本実施例の斜視図である。図２は、中央断面図である。図１および図２に示すように、パネル部１、画像読取部２、記録部３、電気基板部４、カードスロット部５により構成されている。
【００１３】
続いて画像読取部２の説明をする。図３は、原稿をセットする際の本体図で、原稿を裏向きにセットするガラス２３である。ガラス２３はカバー１２５により、上から押えられている。原稿の浮きを押える圧板２１と、スポンジと白色シートで構成されている圧板白シート２２がヒンジ１２４を介して取り付けられている。
【００１４】
図４は図３からガラス２３、カバー１２５を外した状態で、画像読取部２の内部構造がわかるようにしたものである。これらの内部部品はすべてスキャナフレーム１２０に取り付けられている。画像を読取るＣＣＤ読取ユニット２４が、軸２５とレール１２１の上をガイドされて動くようになっている。
【００１５】
また、ＣＣＤ読取ユニット２４はモータを動力として、駆動ギア部１２２で減速され、タイミングベルト２６を介して駆動されている。タイミングベルト２６は駆動ギア部１２２の対向部にプーリー２９に掛けられている。これらの動作について説明すると、コピーやＰＣからのスキャン動作の時に、ＣＣＤ読取ユニット２４が、矢印Ｂの方向に駆動され、ガラス２３を介して原稿を読取る。
【００１６】
次に、記録部３について説明する。図２で示すように、矢印Ｃの方向に記録紙１００ａは搬送される。トレイなどを開いた状態にした外観図が図５であり、図２と合わせて説明するとＡＳＦベース３０と中板３６にセットされた記録紙１００ａの先端部は記録紙トレイ３２と記録紙補助トレイ３１により、保持されている。また、記録紙１００ａは左右方向にスライド可能なスライダー３３により、端部をガイドされており、斜行等を防止している。記録紙補助トレイ３１ａ，３１ｂは、スライド式で、矢印Ｄの方向へスライドでき、記録紙トレイ３２の中に収納できる。
【００１７】
また、記録紙トレイ３２は、ヒンジ部３２ａを中心に矢印Ｅの方向に回転可能であり、本体に突き当たるまで回転することができる。図６が閉じた状態図で、図７はトレーを開いた状態の外観図である。なお、記録紙トレイ３２の開閉は、図７の圧板２１の開閉とは干渉しないようになっており、お互いどの角度の状態であっても、開閉可能となっている。このように記録紙トレイ３２が折りたためることにより、通常使わない時は出っ張りがなくコンパクトにできるだけでなく、給紙部等に埃等が入るのも防止することができる。
【００１８】
以上のように積載された記録紙１００ａは、図示しないカムにより中板３６が押し上げられ、給紙ローラ３４と分離ローラ３５により一枚に分離され給送される。この分離機構は、実際に駆動されるのは給紙ローラ３４で、分離ローラ３５は、回転方向に一定以上のトルクがかからないと回転しないようになっている。したがって、複数枚の紙がこのローラ間に入ったとき、紙を分離する力より、分離ローラを回転させる力の方が強いので、一枚ずつ記録紙を搬送することができる。
【００１９】
これらのローラで分離された原稿は搬送ローラ３７ａとピンチコロ３７ｂとの間に搬送され、一定速度でインクジェット印字部に搬送される。図８は正面から、カートリッジドア１３３を開けた図、図９は、側面から見たカートリッジドアを開けた図である。インクジェット印字部にはプリントヘッドを一体的に構成しているカートリッジ３９、カラーインクタンク３８ａとブラックインクタンク３８ｂが装着されている。カートリッジ３９は、ガイドシャフト１３４にガイドされ記録紙の送り方向に対して垂直方向に動かすことにより、記録紙に印字する。印字をした記録紙は、排紙ローラ対１３０により、記録紙排紙トレイ１３１と、記録紙排紙補助トレイ１３２に排出される。なお、排紙トレイ１３１は、記録の印字の開始とともに自動的に開くようになっている。これにより、ユーザーが、排紙トレイ１３１を開き忘れて、記録紙をＪＡＭさせることを防止することができる。
【００２０】
排紙トレイ１３１に関しては、画像読取部２を矢印Ｆの方向に上げるとことによっても、自動的に矢印Ｇの方向に開く。
【００２１】
続いて、読取制御の一時停止・再開のフローチャートについて説明する。
図１０は、各制御部を図上方部に書き、どの制御部がどの制御部に対してどのような要求を行っているかを時系列ごとに示したシーケンス図である。
【００２２】
要求１００１は、記録装置に接続されているホストコンピュータから記録装置に対して、所定のインターフェースを介して読取開始要求を行ったことを図示している。要求１００２は、要求１００１をコマンド受信部で解析し、読取動作が必要と判断され、読取制御部に対して読み取り開始要求を行ったことを図示している。要求１００３は要求１００２に基づいて、読取センサを移動させるモータを加速させ、所定の速度に達したら一定速で読取を行わせる要求を行ったことを図示している。
【００２３】
要求１００３による読取動作中に、要求１００４がホストコンピュータからコマンド受信部に行われた場合、コマンド受信部は読み取り制御部に対して、要求１００５を行い読み取り動作の一時中断を要求する。同時に、記録制御部に対して要求１００７で記録動作を行う前の記録準備を要求する。
【００２４】
記録動作部では、要求１００７によって、記録に必要な記録ヘッドのメンテナンス、記録動作に必要なメモリ管理など記録に必要な準備動作を行う。準備動作完了後、通知１０１１によって、コマンド受信部に対して記録準備完了を通知する。
【００２５】
一方、読取制御部では、要求１００５の読取一時停止要求に基づき、動作中のモータを停止させるため、読取モータ・センサ制御部に対して要求１００６でモータ減速要求を行う。読み取りモータ制御部では、要求１００６に基づき、モータ停止動作を開始し、完了後、通知１００８にてモータ停止完了を読取制御部に通知する。さらに、読取再開時の加速距離だけ、逆方向に読取センサを移動させるため、要求１００９で読取モータ制御部に対して逆方向への所定距離移動要求を行う。読取モータ制御部では要求１００９に従い、逆方向へ加速し、所定距離分戻って減速し停止する。所定距離分戻った時、移動完了通知を通知１０１０で読み取り制御部に行う。読取制御部では所定の読取一時停止動作が完了したので、コマンド受信部に対して通知１０１２で読取一時停止完了を通知する。
【００２６】
コマンド受信部では、通知１０１１により記録準備完了、通知１０１２により読取制御部の停止が判別できた後、要求１０１３で、メカ振動が大きい給紙動作を記録制御部に行う。記録制御部では、要求１０１３に基づき給紙動作を行う。給紙が完了すると、通知１０１４によって、コマンド受信部に対して給紙完了を通知する。
【００２７】
コマンド受信部では通知１０１４によって、給紙動作が完了したことを確認すると、記録制御部に対して記録開始要求を要求１０１５で行う。また同時に、要求１０１６で読み取り制御部に対して、読取再開要求を行う。
【００２８】
記録制御部では、要求１０１５に基づき、ホストＰＣから送付される記録データを給紙した記録紙に対して記録する。
【００２９】
一方、読取制御部では要求１０１５に基づき、読取モータ制御部に対して要求１０１７で、読取センサを移動させるモータを加速させ、所定の速度に達したら一定速で読取を行わせる要求を行う。
【００３０】
上記実施例では、読取制御と、記録制御が同時に動作可能な記録装置において、読取動作中に記録装置が振動することが予測できる場合、記録紙を給紙する前の準備作業中に、読取動作の中断手段を有する。よって、読取中に記録動作のメカ振動が伝わることがなく、読取画質の劣化を防止することができるという効果を奏する。
【図面の簡単な説明】
【００３１】
【図１】本発明の実施例に係る画像読取記録装置の斜視図である。
【図２】本発明の実施例に係る画像読取記録装置の断面図である。
【図３】本発明の実施例に係る画像読取記録装置の圧板を開いた状態図である。
【図４】本発明の実施例に係る画像読取記録装置の画像読取部のガラスを取り除いた図である。
【図５】本発明の実施例に係る画像読取記録装置の記録紙トレイを出した状態図である。
【図６】本発明の実施例に係る画像読取記録装置の記録紙トレイを閉じた背面図である。
【図７】本発明の実施例に係る画像読取記録装置の記録紙トレイを開いた背面図である。
【図８】本発明の実施例に係る画像読取記録装置のカートリッジを交換する状態の斜視図である。
【図９】本発明の実施例に係る画像読取記録装置のカートリッジを交換する状態の側面図である。
【図１０】本発明の実施例に係る読取中断制御のシーケンス図である。
【符号の説明】
【００３２】
１  パネル部
２  読取部
３  記録部
４  電気基板部
５  カードスロット部
２１  圧板
２３  ガラス
３１  記録紙トレイ
３２  記録紙補助トレイ
３８  インクタンク
３９  カートリッジ
４２  カートリッジドア用フォトインタラプタ
４４  中継基板
４５  電源
１３１  記録紙排紙トレイ
１３２  記録紙排紙補助トレイ
１３３  カートリッジドア
【図１】
2009117964.tif 000003
【図２】
2009117964.tif 000004
【図３】
2009117964.tif 000005
【図４】
2009117964.tif 000006
【図５】
2009117964.tif 000007
【図６】
2009117964.tif 000008
【図７】
2009117964.tif 000009
【図８】
2009117964.tif 000010
【図９】
2009117964.tif 000011
【図１０】
2009117964.tif 000012